(57)【要約】      （修正有）【課題】応用範囲が広く、しかも立体的な刳り貫き式粘着広告体を提供する。【解決手段】刳り貫き式粘着広告体は広告体からなる。広告体１０は粘着固定背面１１を備え、粘着固定背面は粘着性をもつ物質によって商品２０上に固定され、広告体には商品の規格のサイズに応じて少なくとも一つの刳り貫き窓部１３が設けられ、刳り貫き窓部は商品２０の商品分類名２１及び商標２２の位置に対応して設けられ、広告体の刳り貫き窓部１３の周辺空間には、広告体１０が設けられた商品２０以外のその他の商品の広告が文字や絵で印刷される。【選択図】図１
0003162135.tif 000002
【実用新案登録請求の範囲】
【請求項１】
広告体からなる刳り貫き式粘着広告体であって、
広告体は粘着固定背面を備え、粘着固定背面は粘着性をもつ物質によって商品上に固定され、広告体には商品の規格のサイズに応じて少なくとも一つの刳り貫き窓部が設けられ、刳り貫き窓部は商品の商品分類名及び商標の位置に対応して設けられ、
広告体の刳り貫き窓部の周辺空間には、広告体が設けられた商品以外のその他の商品の広告が文字や絵で印刷されることを特徴とする、刳り貫き式粘着広告体。
【請求項２】
該刳り貫き窓部には、透明な薄膜が設けられることを特徴とする、請求項１に記載の刳り貫き式粘着広告体。
【請求項３】
該広告体は平面式の広告体であることを特徴とする、請求項１に記載の刳り貫き式粘着広告体。
【請求項４】
該広告体は環状式の広告体であることを特徴とする、請求項１に記載の刳り貫き式粘着広告体。
【考案の詳細な説明】
【技術分野】
【０００１】
本考案は広告の技術に関し、特に、各種商品や買い物袋に貼り付けて広告を行うことができ、しかも、元の商品や買い物袋の商標や商品分類名も同時に表示させることが可能な刳り貫き式粘着広告体に関する。
【背景技術】
【０００２】
現在の市場では、相当な知名度がなければ商品は売れない。従って、商品の知名度を高めるために、広告は必要不可欠である。例えば、宝くじに消費者金融会社の広告を載せたり、広告が入れられたティッシュペーパーを街頭で配ったり、電車やバスの車内に広告を吊り下げたり、道行く人の注意を引かせるために電車やバスの車体に広告をペインティングしたりなど、様々な広告の方法がある。しかしながら、この種の広告は、立体的でなく、応用範囲も狭いという欠点がある。
【考案の概要】
【考案が解決しようとする課題】
【０００３】
そこで、本考案は、応用範囲が広く、しかも立体的な刳り貫き式粘着広告体を提供することを目的とする。
【課題を解決するための手段】
【０００４】
本考案による刳り貫き式粘着広告体は、広告体からなる。広告体は粘着固定背面を備え、粘着固定背面は粘着性をもつ物質によって商品上に固定され、広告体には商品の規格のサイズに応じて少なくとも一つの刳り貫き窓部が設けられ、刳り貫き窓部は商品の商品分類名及び商標の位置に対応して設けられ、広告体の刳り貫き窓部の周辺空間には、広告体が設けられた商品以外のその他の商品の広告が文字や絵で印刷される。
【考案の効果】
【０００５】
本考案による刳り貫き式粘着広告体は、製造が簡単であり、コストが低く、外観が独特であり、立体的であるため広告をさらに目立たせることができ、しかも応用範囲も広く利便性が高い。
【図面の簡単な説明】
【０００６】
【図１】本考案の実施例１を示した斜視図である。
【図２】本考案の実施例２を示した斜視図である。
【図３】本考案の実施例３を示した斜視図である。
【図４】本考案の実施例４を示した斜視図である。
【図５】本考案の実施例５を示した斜視図である。
【図６】本考案の実施例６を示した斜視図である。
【図７】本考案の実施例７を示した斜視図である。
【図８】本考案の実施例８を示した斜視図である。
【図９Ａ】本考案の広告体を表から見た図である。
【図９Ｂ】本考案の広告体を裏から見た図である。
【考案を実施するための形態】
【０００７】
図１、図９Ａ、図９Ｂを参照する。刳り貫き式粘着広告体は、広告体１０からなる。広告体１０は粘着固定背面１１を備え、粘着固定背面１１は、のり或いは粘着テープ１２などの粘着性をもつ物質によって商品２０に固定される。広告体１０には、商品２０の規格のサイズに応じて少なくとも一つの刳り貫き窓部１３が設けられる。刳り貫き窓部１３は、商品２０の商品分類名２１及び商標２２の位置に対応して設けられるため、商品２０の識別性には影響がない。広告体１０の刳り貫き窓部１３の周辺空間１４には、商品２０以外の別の商品の広告が印刷される。また、刳り貫き窓部１３には、透明な薄膜を設けることもできる。
【０００８】
（実施例１）
実施例１では、商品２０にチューイングガム３０を採用する。図１に示すように、チューイングガム３０には広告体１０が設けられ、広告体１０の刳り貫き窓部１３から商品分類名２１と商標２２を見ることができる。しかも、商品２０であるチューイングガム３０の識別性には影響を与えず、商品２０の商品分類名２１と商標２２を更に目立たせる効果がある。広告体１０には、少なくとも一つの刳り貫き窓部１３が設けられる以外に、広告体１０の刳り貫き窓部１３の周辺空間１４にその他の商品の広告が文字や絵で印刷されており、その独特の外観によって消費者の注意を引くことができる。
【０００９】
広告体１０を、チューイングガム３０やたばこの箱３２などの小さい商品２０に適用する時、商品２０の成分説明やバーコードに影響を与えない範囲で、広告体１０の一部を、商品２０の周辺へ折り曲げたり巻き上げたりすることができる。
【００１０】
（実施例２）
実施例２では、商品２０に牛乳パック３１を採用する。図２に示すように、牛乳パック３１には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１１】
（実施例３）
実施例３では、商品２０にたばこの箱３２を採用する。図３に示すように、たばこの箱３２には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１２】
（実施例４）
実施例４では、商品２０にお茶の葉の箱３３を採用する。図４に示すように、お茶の葉の箱３３には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１３】
（実施例５）
実施例５では、商品２０に買い物袋３４を採用する。図５に示すように、買い物袋３４には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１４】
（実施例６）
実施例６では、商品２０に新聞紙３５を採用する。図６に示すように、新聞紙３５には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１５】
（実施例７）
実施例７では、商品２０に飲み物のペットボトル３６を採用する。図７に示すように、飲み物のペットボトル３６には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１６】
なお、図１から図７の広告体１０は、平面式の広告体１０である。
【００１７】
（実施例８）
実施例８では、商品２０に紙コップ３７を採用する。図８に示すように、紙コップ３７には広告体１０が設けられ、広告体１０の刳り貫き窓部１３から商品分類名２１及び商標２２を見ることができ、また、刳り貫き窓部１３の周辺には周辺空間１４が設けられ、周辺空間１４にはその他の商品の広告が印刷される。
【００１８】
なお、図８の広告体１０は環状式の広告体１０である。
【００１９】
また、本考案を商品に取り付ける方法は二通りある、一つは、事前に本考案の広告体１０の粘着固定背面１１に粘着テープ１２を設けておき、商品２０が売れた後、売れた商品２０に店員が広告体１０を貼り付ける方法であり、もう一つは、商品が売れる前に広告体１０の粘着固定背面１１を商品２０に貼り付け、冷蔵庫や商品棚に並べる方法である。
【００２０】
広告体１０は、ポイントカードの機能を備えることができる。また、広告体１０は、割引券の機能を備えることができる。
【００２１】
以上で述べたように、広告体１０に少なくとも一つの刳り貫き窓部１３を設ける以外に、広告体１０の刳り貫き窓部１３の周辺空間にその他の商品の広告を文字や絵で印刷し、広告体１０の背面を、両面テープなどの粘着テープ１２やのりによって商品２０或いは買い物袋３４に貼り付ける、という点が本考案の特色である。
【００２２】
本考案の効果は以下の二つである。
【００２３】
１、本考案では、広告体を「一般の商品の包装」上、或いは「買い物袋」上に貼り付けることにより、元の商品と、別の商品の広告をうまく組み合わせて、新しい広告方式を実現している。このため、本考案は、応用範囲が広く利便性が高い。
【００２４】
２、本考案は、刳り貫き窓部を設けることにより広告を立体的にすることができ、刳り貫き窓部から元の商品の商標と商品分類名を表示させて目立たせることができる。
【符号の説明】
【００２５】
１０    広告体    
１１    粘着固定背面
１２    粘着テープ  
１３    刳り貫き窓部
１４    周辺空間  
２０    商品      
２１    商品分類名      
２２    商標      
３０    チューイングガム    
３１    牛乳パック    
３２    たばこの箱    
３３    お茶の葉の箱    
３４    買い物袋    
３５    新聞紙      
３６    飲み物のペットボトル    
３７    紙コップ
【図１】
0003162135.tif 000003
【図２】
0003162135.tif 000004
【図３】
0003162135.tif 000005
【図４】
0003162135.tif 000006
【図５】
0003162135.tif 000007
【図６】
0003162135.tif 000008
【図７】
0003162135.tif 000009
【図８】
0003162135.tif 000010
【図９Ａ】
0003162135.tif 000011
【図９Ｂ】
0003162135.tif 000012